(57)【要約】      （修正有）【課題】強度があり且つバランスが良く耐久性に優れる剣道用竹刀を提供する。【解決手段】上部側に位置し弦が張られる第一の割子１１２と、第一の割子１１２と対向して下部側に位置する第二の割子１１４と、第一の割子１１２及び第二の割子１１４の両端部側に位置する複数の第三の割子１１６と、第一の割子１１２と第二の割子１１４及び第三の割子１１６を束ねて先端部分１１０ｂには先革が装着され中間部位には中結が装着され下端部分には柄革が装着されるとともに弦は先革と柄革を張るよう装着されて成る竹刀１１０であって、柄革部分に位置する各割子の表面部は竹皮Ａを有し、表面部以外の各割子の他の部位の表面部は竹皮を有さないよう構成したことを特徴とする。【選択図】図３
0003201462.tif 000002
【実用新案登録請求の範囲】
【請求項１】
上部側に位置し弦が張られる第一の割子と、
この第一の割子と対向して下部側に位置する第二の割子と、
上記第一の割子及び第二の割子の両端部側に位置する複数の第三の割子と、
上記第一の割子、上記第二の割子及び上記第三の割子を束ねて先端部分には先革が装着され、中間部位には中結が装着され、下端部分には柄革が装着されるとともに、上記弦は上記先革と上記柄革を張るよう装着されて成る竹刀であって、
上記柄革部分に位置する各割子の表面部は竹皮を有し、
当該表面部以外の各割子の他の部位の表面部は竹皮を有さないよう構成したことを特徴とする剣道用竹刀。
【請求項２】
上記柄革部分に位置する割子の表面部に節がある場合、当該節は削られて上記表面部と略平坦を成すよう形成することを特徴する請求項１記載の剣道用竹刀。
【請求項３】
先端部分には先芯が内設されて先革が装着され、中間部位には中結が装着され、柄部分には柄革が装着され、上記先革と上記柄革は互いに張力が加わるよう弦が張られて４本の割子からなる成る竹刀であって、
上記割子は、一本の竹を６枚または８枚に割った竹片の幅が揃えられるとともに形が整えられ、当該竹片の表面部に有する竹皮を上記柄部分を残して削り且つ裏面部側を略４５度の角度がつくよう構成され、
上記表面部に節がある場合、当該節は削られて上記表面部と略平坦を成すよう形成し、
さらに上記割子は、上記柄部位の内側に契を埋設するよう４枚束ねて上記柄革、上記先芯、上記先革、上記弦及び上記中結を装着して成るよう構成したことを特徴とする剣道用竹刀。
【考案の詳細な説明】
【技術分野】
【０００１】
本考案は、剣道に用いられる竹刀、特に竹刀の柄部分の構造に特徴を有する剣道用竹刀に関する。
【背景技術】
【０００２】
従来、剣道用竹刀は、一本の竹を例えば縦に６分割或いは８分割した竹片４本を合わせ、牛革等を用いて作製された部材等でまとめて作られるものであった。所謂四つ割り竹刀である。即ち、竹刀は、図９に示すように通常天然素材としての竹から成る４本の割子（割竹ともいう。）９１０を、先皮９２０、中結９３０、柄革９４０及び弦９５０を用いることにより束ねて製作されていた。
【０００３】
竹刀は、剣道競技や練習稽古に於いて、相手方が装着する剣道用防具の籠手、面、胴或いは突きの打突部位に対して、素早く打突されるものである。この打突のスピードは概ね1秒以下である。例えば面打ちに関しては、面打ち動作の開始から終了まで、僅か０．１秒で完結する熟練者もいるものである。このときに、竹刀に加わる負荷は、竹刀の重さ、竹刀を振りかぶってから振り下ろすまでの回転力の大きさ及びスピードの速さに起因し、極めて大きいものである。
【０００４】
打突の瞬間、竹刀には大きな負荷が加わり、例えば図１０に示すように、竹刀の打突部（「物打ち」とも称す。）ＨＰ近傍が大きく曲ったり変形するものである。適切な打突であれば、変形した竹刀は瞬時に復元する。しかし、竹刀に加わる力が大き過ぎたり、不適切な打突であったり、竹刀に傷があったり、或いはバランスや耐久性に問題がある竹刀の場合、竹刀が破損することがある。このような事態を防止するために、バランスや耐久性に優れた竹刀が求められている。
【０００５】
従来、一本の同じ竹から取れた割子のみから製作された竹刀、即ち一本竹で製作された竹刀は、そうではない割子所謂バラ竹で製作された竹刀に比べて、強度があり且つバランスが良く耐久性に優れ、貴重な竹刀として重宝されている。これは、一本竹で製作された竹刀は、４本の割子の重量、厚み、節の位置及び成分が同じであることに起因する。また、製造工程及び製造時期が同じであることにも起因する。
【０００６】
特許文献１には、芯材に竹を用いて、その全面を合成樹脂にて被覆した割子から成る竹刀が開示されている。この竹刀は、打突部の強度と耐久性を確保しようとしたものである。
【０００７】
特許文献２には、凹凸のある天然の竹材の表面に合成樹脂シートを密着させて被覆した割子から成る竹刀が開示されている。このものにあっては、竹本来の特性であるひび割れやささくれ等の割裂性の防止と材質の均一性を意図したものである。
【０００８】
特許文献３には、竹刀の各割子の接触部側の繊維に潤滑剤を浸透させる技術が開示されている。これは、竹刀の打突により、各割子が互いに位置ずれするような変形の低下または防止を意図したものである。
【０００９】
特許文献４には、竹材に比較して比重の大きいプラスチック等の化学材料製竹刀が開示されている。このものにあっては、割子として比較的弾性係数が小さく衝撃強度の高い素材を選択可能とし、安価な化学材料製竹刀を提供できるようにすることを意図したものである。
【先行技術文献】
【特許文献】
【００１０】
【特許文献１】特公平４−３２６７０号公報
【特許文献２】特公平５−２０１１４号公報
【特許文献３】特許第４１２８５５９号公報
【特許文献４】実公平５−２２２０９号公報
【考案の概要】
【考案が解決しようとする課題】
【００１１】
上記一本竹で製作された竹刀は、強度があり且つバランスが良く耐久性に優れるが、コスト面で高価なものである。また、一本竹の竹刀は、バラ竹の竹刀と同様に割子の表面部に有する竹皮は全て削られているため、その分だけは強度と耐久性は落ちるものである。
【００１２】
特許文献１に開示された竹刀は、全面を合成樹脂にて被覆した割子から構成されるため、製造工程が増え手間を要すものであり、製造コスト面でも劣るものである。また、このものにあっては、合成樹脂の分だけ竹刀の重量が増え、使用者にとっては微妙な竹刀捌きにも影響を及ぼし、取扱い難いものである。
【００１３】
特許文献２に開示された竹刀は、表面に合成樹脂シートを密着させて被覆した割子から構成されるため、前述同様に製造工程が増え手間を要すものであり、製造コスト面でも劣るものである。また、合成樹脂の分だけ竹刀の重量が増え、使用者にとっては微妙な竹刀捌きにも影響を及ぼすことになり、取扱い難いものである。
【００１４】
特許文献３に開示された竹刀は、各割子の接触部側の繊維に潤滑剤を浸透させるように構成したため、製造工程が増え手間を要すものであり、製造コスト面でも劣るものである。また、浸透させた潤滑油により、竹本来が有する機能が損なわれる虞もある。
【００１５】
特許文献４に開示された竹刀は、プラスチック等の化学材料製であるため、竹材に比較して比重が大きく、適切な強度を有するためには重量も大きくなり、使用者にとっては微妙な竹刀捌きにも影響を及ぼし、取扱い難いものである。また、このものにあっては、打突時の音や感触が竹とは異なり、使用者に違和感を与え競技や練習に悪影響を与える虞もある。
【００１６】
そこで、本考案は上記事情を考慮してなされたもので、上記不具合を解消し、強度があり且つバランスが良く耐久性に優れる剣道用竹刀を提供することを目的とする。
また、本考案は、竹材が本来有する機能を最大限引出し、使用者にとって取扱い易い剣道用竹刀を提供することを目的とする。
【課題を解決するための手段】
【００１７】
上記目的を達成するために、本考案は以下の構成であることをその特徴とする。
【００１８】
（１）上部側に位置し弦が張られる第一の割子と、この第一の割子と対向して下部側に位置する第二の割子と、上記第一の割子及び第二の割子の両端部側に位置する複数の第三の割子と、上記第一の割子と上記第二の割子及び上記第三の割子を束ねて先端部分には先革が装着され中間部位には中結が装着され下端部分には柄革が装着されるとともに上記弦は上記先革と上記柄革を張るよう装着されて成る竹刀であって、上記柄革部分に位置する各割子の表面部は竹皮を有し、当該表面部以外の各割子の他の部位の表面部は竹皮を有さないよう構成したことを特徴とする。
【００１９】
（２）上記（１）の構成にあって、上記柄革部分に位置する割子の表面部に節がある場合、当該節は削られて上記表面部と略平坦を成すよう形成することを特徴する。
【００２０】
（３）先端部分には先芯が内設されて先革が装着され、中間部位には中結が装着され、柄部分には柄革が装着され、上記先革と上記柄革は互いに張力が加わるよう弦が張られて４本の割子からなる成る竹刀であって、
上記割子は一本の竹を６枚または８枚に割った竹片の幅が揃えられるとともに形が整えられ当該竹片の表面部に有する竹皮を上記柄部分を残して削り且つ裏面部側を略４５度の角度がつくよう構成され、上記表面部に節がある場合当該節は削られて上記表面部と略平坦を成すよう形成し、さらに上記割子は上記柄部位の内側に契を埋設するよう４枚束ねて上記柄革、上記先芯、上記先革、上記弦及び上記中結を装着して成るよう構成したことを特徴とする。
【００２１】
上記構成によれば、柄部分に竹皮を有する構成としたので、竹本来の丈夫さと安定性を有し、強度があり且つバランスが良く耐久性に優れる剣道用竹刀を提供できるものである。
また、上記構成によれば、柄部分に竹皮を有するので、従来の竹刀に比して重心も柄側に寄るので、利用者にとっては、素早い竹刀の動きを可能とするので、取扱い易くなるものである。
【考案の効果】
【００２２】
本考案によれば、丈夫で安定性に優れる剣道用竹刀を供することができるものである。また、本考案によれば、竹刀の重心が柄部分側へ寄って位置することになるので、利用者にとって素早い竹刀の打突動作がし易くなるという実用的効果を奏するものである。
【図面の簡単な説明】
【００２３】
【図１】本考案の第一の実施形態に係る剣道用竹刀を概略的に示す全体図である。
【図２】同実施形態に係り、剣道用竹刀の分解図である。
【図３】同実施形態に係り、剣道用竹刀の長手方向の断面図である。
【図４】同実施形態に係り、剣道用竹刀の柄部分の横断面図である。
【図５】同実施形態に係り、剣道用竹刀の柄部分の節を有する割子の縦断面図である。
【図６】同実施形態に係り、剣道用竹刀の製造工程の流れを概略的に示す図である。
【図７】同実施形態に係り、竹刀を構成する割子の強さを測定する実験方法を模式的に示す図である。
【図８】同実施形態に係り、竹刀を構成する割子の強さの実験結果を示す表である。
【図９】従来の竹刀を概略的に示す全体図である。
【図１０】打突時に於ける竹刀の変形の様子を模式的に示す図である。
【考案を実施するための形態】
【００２４】
以下本考案の一実施形態につき、図を参照して説明する。
【００２５】
図１乃至図５は、本実施形態に係る剣道用竹刀を示している。
竹刀１１０は、天然素材の竹を加工したものであり、上部側１１０ａに位置する第一の割子１１２と、この第一の割子１１２と対向して下部側に位置する第二の割子１１４と、第一の割子１１２及び第二の割子１１４の両端部１１２ａ，１１２ｂ，１１４ａ，１１４ｂに位置する二つの第三の割子１１６，１１６とが束ねられた構成である。
【００２６】
即ち、竹刀１１０の先端部１１０ｂには、先芯（先ゴムともいう。）１２０が嵌め込まれている。そして、この先芯１２０が嵌め込まれた先端部１１０ｂを被覆するよう先革１３０が装着されている。
【００２７】
竹刀１１０の握り部分（柄部分）１１０ｃには、鉄板片から成る契１４０が内設されている。そして、握り部分１１０ｃの外周囲を被覆するよう柄革１５０が装着されている。
【００２８】
柄革１５０と先革１３０とは、弦１６０を介して張力が働くよう繋げられている。なお、弦１６０にはその折り返しに小物１７０が用いられている。
【００２９】
また、竹刀１１０の先端部１１０ｂから所定の位置（竹刀１１０の全長の四分の一の位置、所謂物打ち）には中結１８０が設けられている。この中結１８０を〆ることにより竹刀１１０の強度が高められるものである。
【００３０】
而して第一の割子１１２、第二の割子１１４及び第三の割子１１６，１１６の各表面部１１２ｃ，１１４ｃ，１１６ｃの握り部分１１０ｃに相当する部位以外は、竹皮が削られて磨かれた状態になっているものである。各割子１１２，１１４，１１６，１１６の各表面部１１２ｃ，１１４ｃ，１１６ｃ，１１６ｃの握り部分１１０ｃに相当する部位については、竹皮Ａを有する構造となる（図３及び図４参照）。この部位に節Ｂがある場合は、節Ｂは表面部と略平坦を成すよう削られるものである（図５参照）。
【００３１】
次に、図６を参照して本実施形態の剣道用竹刀の製造工程を説明する。
【００３２】
竹刀の製造工程は、概ね竹割り・横取り工程４１０、矯め工程４２０、面取り工程４３０、第一の組立て工程４４０及び第二の組立て工程４５０とから成るものである。
【００３３】
竹割り・横取り工程４１０は、一本の竹を６枚または８枚に割って竹片とし、即ち割子とし、この割子の幅を揃える作業工程である。この竹割り・横取り工程４１０の後続工程である矯め工程４２０は、割子の曲がりやねじれを直して形を整える作業工程である。面取り工程４３０は、整えられた割子の表面部に有する竹皮を柄部分を残して削るとともに、裏面部側を略４５度の角度がつくよう削る作業工程である。
【００３４】
而して、第一の組立て工程４４０は、４枚の割子をまとめて糸で縛り鉄板片（契）を柄部分の内側に埋め込む作業工程である。ここで、割子の寸法を揃え柄部分に節がある場合、当該節を削り平坦にする作業が必要に応じてなされる。後続工程の第二の組立て工程４５０は、割子に柄革１５０、先芯１２０、先革１３０、弦１６０及び中結１８０を装着する作業工程である。
【００３５】
なお、上述製造工程は一例であり、これに限定される訳ではない。例えば、柄部分に節がある場合に当該節を削り平坦にする作業は、面取り工程４３０に含めても良いものである。
【００３６】
以下に、本実施形態に係る剣道用竹刀１１０と従来の竹刀の強度について説明する。
【００３７】
図７に示すように、長さの等しい割子を夫々用意し、割子Ｘの柄部分Ｘａを台座Ｙに固定して先端部分Ｘｂに吊り下げ用の紐Ｚを取付けて、この紐Ｚに２ｋｇの重りＷを吊り下げる。このときの地上Ｇから重りＷの下端部までの距離Ｌを全４回測定する。
【００３８】
図８に示すように、従来の竹刀の割子はＬが９ｃｍである。本実施形態に係る竹刀の割子はＬが１４ｃｍである。この測定結果から、本実施形態に係る竹刀の割子の方がしなりは小さいことが分かる。しなりが小さいということは、剛性が高い、腰があるということである。これは、柄部分に有する竹皮がその特性上強靱な繊維質で強度を有することに起因する。
【００３９】
上記実施形態によれば、割子の柄部分に竹皮を有する構成としたので、従来の竹刀に比べて硬性が高くなり、強くて耐久性に優れる竹刀を提供できるものである。加えて竹皮には殺菌防腐機能があるので、さらに耐久性を高められるものである。
また、柄部分に竹皮を有する構成としたので、従来の竹刀に比して重心も柄部分側に寄り、安定性が良くなり、利用者にとっては、微妙な竹刀捌き及び素早い竹刀の動きを可能とし、取扱い易いという実用的効果を奏するものである。
【００４０】
なお、本考案は、上記実施形態に限定されることなく種々の変形が可能なことは勿論である。
【符号の説明】
【００４１】
１１０                        …竹刀
１１０ｃ                      …握り部分（柄部分）
１１２                        …第一の割子
１１２ｃ，１１４ｃ，１１６ｃ  …表面部
１１４                        …第二の割子
１１６                        …第三の割子
１５０                        …柄革
Ａ                            …竹皮
Ｂ                            …節
【図１】
0003201462.tif 000003
【図２】
0003201462.tif 000004
【図３】
0003201462.tif 000005
【図４】
0003201462.tif 000006
【図５】
0003201462.tif 000007
【図６】
0003201462.tif 000008
【図７】
0003201462.tif 000009
【図８】
0003201462.tif 000010
【図９】
0003201462.tif 000011
【図１０】
0003201462.tif 000012